(57)【特許請求の範囲】
【請求項１】
複数のデジタルマルチメディアデータ信号に該当する複数のトランスポートストリーム(ＴＳ)パケットを受信するように構成されるＴＳ入力スイッチ部と、
前記ＴＳ入力スイッチ部から前記複数のＴＳパケットを受信して前記複数のＴＳパケットのうちデマルチプレクシングを行うパケットだけを選択的に通過させるように構成されるＰＩＤフィルタ部と、
前記ＰＩＤフィルタ部から出力されるＴＳパケットを順次に保存するように構成される第１ＴＳバッファ部と、
前記ＰＩＤフィルタ部から出力されるＴＳパケットの一部を保存するように構成される外部メモリ装置と、
前記第１ＴＳバッファ部に保存されたＴＳパケットを受信して解読し、また前記第１ＴＳバッファ部がフルになれば前記外部メモリ装置への保存に備えて複製防止のために前記解読されたＴＳパケットの一部を暗号化するように構成される制限受信/複製防止(ＣＡ／ＣＰ)部と、を備えることを特徴とするマルチメディアデータ処理装置。
【請求項２】
前記ＣＡ／ＣＰ部から受信されたＴＳパケットを順次に保存するように構成される第２ＴＳバッファ部と、
前記第２ＴＳバッファ部に保存されたＴＳパケットを順次に読出してデマルチプレクシングを行うように構成されるマイクロプロセッサと、をさらに備えることを特徴とする請求項１に記載のマルチメディアデータ処理装置。
【請求項３】
外部のシステムバスを通じて前記外部メモリ装置と連結されるメモリインターフェース部をさらに備え、
前記第１ＴＳバッファ部がフルになれば前記ＰＩＤフィルタ部から出力されるＴＳパケットのうち一部がリードバックのために前記メモリインターフェース部及び前記システムバスを介して前記外部のメモリ装置に保存されることを特徴とする請求項１に記載のマルチメディアデータ処理装置。
【請求項４】
前記メモリインターフェース部を通じて入力されるＤＶＤのプログラムストリーム(ＰＳ）からセクタヘッダーだけを抽出して前記ＣＡ／ＣＰ部に提供するように構成されるＰＳセクタ分析器をさらに備えることを特徴とする請求項３に記載のマルチメディアデータ処理装置。
【請求項５】
前記ＣＡ／ＣＰ部によりスクランブルされたＰＶＲのためのＴＳパケットを受信して所定のタイムスタンプと共にパッキングし、その結果を前記メモリインターフェース部を通じて出力するように構成されるＰＶＲ書込みインターフェース部と、
ＰＶＲ書込みの時、単一プログラムに対するＰＳＩを前記ＰＶＲのためのＴＳパケットに挿入するように構成されるＰＳＩバッファ部と、
前記メモリインターフェース部を通じてＰＶＲのためのＴＳパケットを受信し、この時にＴＳパケットと共にパッキングされたタイムスタンプ情報を用いて読出し速度を調節するように構成されるＰＶＲ読出しインターフェース部と、をさらに備えることを特徴とする請求項３に記載のマルチメディアデータ処理装置。
【請求項６】
前記メモリインターフェース部は、
複数の書込み／読出しＤＭＡを含むことを特徴とする請求項３に記載のマルチメディアデータ処理装置。
【請求項７】
前記ＰＩＤフィルタ部から抽出されたＰＣＲデータを保存し、これによりＳＴＣを制御するように構成されるＰＣＲ回復部をさらに備えることを特徴とする請求項１に記載のマルチメディアデータ処理装置。
【請求項８】
複数のマルチメディアデータ信号を受信して保存する装置におけるマルチメディアデータを処理する方法において、
複数のデジタルマルチメディアデータ信号に該当する複数の暗号化されたＴＳパケットを受信する段階と、
デマルチプレックスされるべきＴＳパケットだけを選択的に出力するために前記受信された複数のＴＳパケットをフィルタリングする段階と、
前記選択的に出力されたＴＳパケットを前記装置の第１バッファに順次に保存する段階と、
前記第１バッファに保存されたＴＳパケットを読出して解読する段階と、
前記第１バッファがフルになれば、前記装置と通信する外部メモリ装置への保存に備えて複製が防止されるように前記解読されたＴＳパケットの一部を暗号化する段階と、を備えることを特徴とするマルチメディアデータ処理方法。
【請求項９】
前記解読されたＴＳパケットを第２バッファに順次に保存する段階と、
デマルチプレクシングに備えて前記第２バッファに保存されたＴＳパケットを順次に読出す段階と、をさらに備えることを特徴とする請求項８に記載のマルチメディアデータ処理方法。
【請求項１０】
請求項８に記載の方法によりマルチメディアデータを処理するように構成されるマルチメディアデータ処理装置。
【発明の詳細な説明】
【技術分野】
【０００１】
本発明は、デジタルテレビに係り、特にマルチメディアデータ信号を処理する装置及び方法に関する。
【背景技術】
【０００２】
デジタル時代に入ってから、多様な放送信号を同時に受信し、かつＩＥＥＥ１３９４、ＵＳＢ(Ｕｎｉｖｅｒｓａｌ  Ｓｅｒｉａｌ  Ｂｕｓ)、ＮＲＳＳ(Ｎａｔｉｏｎａｌ  Ｒｅｎｅｗａｂｌｅ  Ｓｅｃｕｒｉｔｙ  Ｓｙｓｔｅｍ)、及びＰＶＲ(Ｐｅｒｓｏｎａｌ  Ｖｉｄｅｏ  Ｒｅｃｏｒｄｉｎｇ)のような多様な媒体のマルチメディアデータを処理してディスプレイする装置の出現が要求されている。また、このような放送信号及びマルチメディアデータはデジタル化されているので、インターネットの発達に伴って不法複製の危険に露出されている。したがって、これらに対する制限受信及び複写防止の要求がますます強くなっている。
【０００３】
従来の多重マルチメディアデータ受信／保存装置では、多様に暗号化されたデジタルマルチメディアデータを複数のＣＡ(Ｃｏｎｄｉｔｉｏｎａｌ  Ａｃｃｅｓｓ)ユニットが解読し、この解読されたデータが視聴できるようになっており、遅延視聴、すなわちｔｉｍｅ  ｓｈｉｆｔｉｎｇが必要な場合には、解読されたデータを保存媒体に記録していて必要な時点で再生できるようになっている。
【０００４】
ところが、このような従来技術は、多重のデータ入力を受信する場合に制限された入力数だけが処理される。また、遅延視聴や録画の場合、データが暗号化されていないため、不法複製のような問題が発生する。また、外部からデジタルマルチメディアデータを受信して保存するバッファの大きさが固定されているので、バッファがフルになる場合にデータが消える問題が発生しうる。また、データの録画時にＤＭＡが直接入出力(Ｉ／Ｏ)装置を選択しなければならないので、入出力装置との通信オーバーヘッドが発生する場合がある。
【発明の開示】
【発明が解決しようとする課題】
【０００５】
本発明が解決しようとする技術的課題は、前記問題点を解決しうるマルチメディアデータ信号処理装置及び方法を提供することである。
【課題を解決するための手段】
【０００６】
前記技術的課題を達成するための本発明に係るマルチメディアデータ信号処理装置は、トランスポートストリーム(ＴＳ）入力スイッチ部、ＰＩＤフィルタ部、第１ＴＳバッファ部、制限受信/複製防止(ＣＡ／ＣＰ)部、第２ＴＳバッファ部、マイクロプロセッサ、及びメモリインターフェース部を備える。
【０００７】
前記ＴＳ入力スイッチ部は、複数のデジタルマルチメディアデータ信号に該当する複数のＴＳパケットを受信するように構成される。前記ＰＩＤフィルタ部は、前記ＴＳ入力スイッチ部から前記複数のＴＳパケットを受信して前記複数のＴＳパケットのうちデマルチプレクシングを行うパケットだけを選択的に通過させるように構成される。前記第１ＴＳバッファ部は、前記ＰＩＤフィルタ部から出力されるＴＳパケットを順次に保存するように構成される。
【０００８】
前記マルチメディアデータ信号処理装置と通信する外部のメモリ装置は、前記ＰＩＤフィルタ部から出力されるＴＳパケットの一部を保存するように構成される。前記ＣＡ／ＣＰ部は、前記第１ＴＳバッファ部に保存されたＴＳパケットを受信して解読し、また前記第１ＴＳバッファ部がフルになれば前記外部メモリ装置への保存に備えて複製防止のために前記解読されたＴＳパケットの一部を暗号化するように構成される。
【０００９】
前記第２ＴＳバッファ部は、前記ＣＡ／ＣＰ部から受信されたＴＳパケットを順次に保存するように構成される。前記マイクロプロセッサは、前記第２ＴＳバッファ部に保存されたＴＳパケットを順次に読出してデマルチプレクシングシングを行うように構成される。前記メモリインターフェース部は、外部のシステムバスを通じて前記外部メモリ装置と連結される。特に、前記第１ＴＳバッファ部がフルになれば前記ＰＩＤフィルタ部から出力されるＴＳパケットのうち一部がリードバックのために前記メモリインターフェース部及び前記システムバスを介して前記外部のメモリ装置に保存される。
【００１０】
前記本発明に係る多重マルチメディアデータ受信／保存装置は、ＰＳセクタ分析器、ＰＣＲ回復部、ＰＶＲ書込みインターフェース部、ＰＳＩバッファ部、及びＰＶＲ読出しインターフェース部をさらに備える。
【００１１】
前記ＰＳセクタ分析器は、前記メモリインターフェース部を通じて入力されるＤＶＤのプログラムストリーム(ＰＳ）からセクタヘッダーだけを抽出して前記ＣＡ／ＣＰ部に提供する。前記ＰＣＲ回復部は、前記ＰＩＤフィルタ部から抽出されたＰＣＲデータを保存し、これによりＳＴＣを制御する。
【００１２】
前記ＰＶＲ書込みインターフェース部は、前記ＣＡ／ＣＰ部によりスクランブルされたＰＶＲのためのＴＳパケットを受信して所定のタイムスタンプと共にパッキングし、その結果を前記メモリインターフェース部を通じて出力する。前記ＰＳＩバッファ部は、ＰＶＲ書込みの時に単一プログラムに対するＰＳＩを前記ＰＶＲのためのＴＳパケットに挿入する。前記ＰＶＲ読出しインターフェース部は、前記メモリインターフェース部を通じてＰＶＲのためのＴＳパケットを受信し、この時、ＴＳパケットと共にパッキングされたタイムスタンプ情報を用いて読出し速度を調節する。
前記メモリインターフェース部は、複数の書込み／読出しＤＭＡを含む。
【発明の効果】
【００１３】
本発明に係るマルチメディアデータ処理装置及び方法を使用することによって、タイムシェアリング技法を用いて一つの入力から複数のデジタルマルチメディア信号を受信するようにして複数のテレビチャンネルを同時に動映像で視聴でき、暗号化された複数のテレビチャンネルを同時に解読して視聴することができる。また、テレビチャンネル入力の暗号化後に録画することにより、他人に伝送及び複写の時に解読できないようにして不法複写が防止される。また、録画されたテレビチャンネルデータをリアルタイムで読出し、解読してタイムシフティング機能を具現しうる。
【００１４】
また、ＰＣＲをハードウェア的に構成してオーディオ/ビデオ信号の同期の精密度を高めうる。また、書込みＤＭＡと読出しＤＭＡを別途に構成することによって外部メモリへのアクセス時にメモリの特定領域だけを参照し、直接入出力装置を接続するための仲裁を行わないので、ハードウェアを単純化させうる。
【発明を実施するための最良の形態】
【００１５】
本発明とその動作上の利点及び本発明の実施によって達成される目的を十分に理解するためには本発明の望ましい実施の形態を例示する添付図面及び添付図面に記載された内容を参照せねばならない。
【００１６】
以下、添付した図面に基づき、本発明の望ましい実施の形態を説明することにより本発明を詳細に説明する。各図面に示された同じ参照符号は同じ部材を示す。
図１は、本発明の一実施の形態による多重マルチメディアデータ受信／保存装置、すなわちマルチメディアデータ処理装置を示すブロック図である。図１は、また前記装置に受信されたマルチメディアデータストリーム(または信号)を処理する方法を説明するために提供される。
【００１７】
図１を参照すれば、本発明の一実施の形態による多重マルチメディアデータ受信／保存装置は、トランスポートストリーム(Ｔｒａｎｓｐｏｒｔ  Ｓｔｒｅａｍ、ＴＳ）入力スイッチ部１１、ＰＩＤ(Ｐａｃｋｅｔ  Ｉｄｅｎｔｉｆｉｃａｔｉｏｎ)フィルタ部１２、インターフェース部１３、制限受信(Ｃｏｎｄｉｔｉｏｎａｌ  Ａｃｃｅｓｓ、ＣＡ)及び複製防止(Ｃｏｎｔｅｎｔ  Ｐｒｏｔｅｃｔｉｏｎ、ＣＰ)部１４、第１ＴＳバッファ部１５、バッファインターフェース部１６、第２ＴＳバッファ部１７、マイクロプロセッサ(ＭＰＵ)１８、ＰＳセクタ分析器１９、ＰＣＲ(Ｐｒｏｇｒａｍ  Ｃｌｏｃｋ  Ｒｅｆｅｒｅｎｃｅ)回復部２０、ＰＳＩ(Ｐｒｏｇｒａｍ  Ｓｐｅｃｉｆｉｃ  Ｉｎｆｏｒｍａｔｉｏｎ)バッファ部２１、ＰＶＲ書込みインターフェース部２２、ＰＶＲ読出しインターフェース部２３、及びＤＭＡ部２５を備える。
【００１８】
ＰＩＤフィルタ部１２は、複数のＰＩＤフィルタ１２１-１２４を含む。ＤＭＡ部２５は、書込みＤＭＡ２５１-２５３及び読出しＤＭＡ２５４-２５５を含む。
ＴＳ入力スイッチ部１１は、複数の入力端子を通じて入力されるＴＳ形態のデジタルマルチメディアデータを受信してＰＩＤフィルタ部１２に伝達する。ＰＩＤフィルタ部１２を通過したデータは整列されてインターフェース部１３を経てＣＡ／ＣＰ部１４に入力され、ＣＡ／ＣＰ部１４により解読された後に外部の保存装置またはディスプレイ装置に出力される。図１におけるそれぞれの矢印は信号の流れを示す。
【００１９】
図１に示された一実施の形態では、例えばＴＳが４つであり、これによりＰＩＤフィルタが４つの場合が示されているが、必要によってＴＳの数及びＰＩＤフィルタの数が増加または減少可能であることは自明である。以下、各ブロックの機能を詳細に説明する。
【００２０】
ＴＳ入力スイッチ部１１は、複数のデジタルマルチメディアデータに該当する複数のＴＳパケットＥＸＴ-ＩＮ１ないしＥＸＴ-ＩＮ３、ＩＥＥＥ１３９４を受信して選択的にＰＩＤフィルタ部１２に出力する。
【００２１】
ＴＳ入力スイッチ部１１は、直列及び並列チャンネル入力信号ＥＸＴ-ＩＮ１ないしＥＸＴ-ＩＮ３が受信できるように構成される。また、ＴＳ入力スイッチ部１１は、ＮＲＳＳ  Ａ２８から入力される信号ＮＲＳＳ１、ＮＲＳＳ２が受信でき、ＩＥＥＥ１３９４リンクインターフェース部２９を通じて入力されるＩＥＥＥ１３９４信号が受信でき、またＰＶＲ読出しインターフェース部２３を通じて入力されるＰＶＲ読出し信号が受信できるように構成される。また、ＴＳ入力スイッチ部１１は、チャンネルから入力される直列及び並列チャンネル入力信号ＥＸＴ-ＩＮ１ないしＥＸＴ-ＩＮ３をＮＲＳＳ  Ａ２８に出力することができる。
【００２２】
ＰＩＤフィルタ部１２は、ＴＳ入力スイッチ部１１を通じて入力されるＴＳパケットのうちからデマルチプレクシングを行うパケットだけを選択的に通過させる。すなわち、所望のＰＩＤ及びＳＣＩＤ(Ｓｅｒｖｉｃｅ  Ｃｈａｎｎｅｌ  Ｉｄｅｎｔｉｆｉｃａｔｉｏｎ)値をＰＩＤフィルタ１２１-１２４内のレジスタにセットすれば、チャンネルからＴＳ入力スイッチ部１１を通じて入力されるＴＳパケットのうちセットされたＰＩＤ及びＳＣＩＤ値を持つパケットだけが通過される。
【００２３】
第１ＴＳバッファ部１５は、インターフェース部１３を通じて入力される４つのＴＳパケットを順次に保存する。ＣＡ／ＣＰ部１４は、第１ＴＳバッファ部１５に保存されたＴＳパケットをインターフェース部１３を通じて受信して解読し、また解読された信号の外部記録装置への記録時に暗号化して複製を防止する機能を行う。
【００２４】
ＣＡ／ＣＰ部１４は、デスクランブラー／スクランブラーとも呼ばれ、制限受信と複製防止のためにいろいろな解読アルゴリズム及び暗号化アルゴリズムを支援する。解読アルゴリズム及び暗号化アルゴリズムは当業者には公知のものであるために詳細な説明は省略する。ＣＡ／ＣＰ部１４は、最悪の場合に４つのＴＳが全て処理できるように設計される。
【００２５】
もし、第１ＴＳバッファ部１５がフルになれば、ＰＩＤフィルタ部１２から出力されるＴＳパケットのうち一部、例えばＰＩＤフィルタ４１２４から出力されるＴＳパケットまたはＰＩＤフィルタ３１２３及びＰＩＤフィルタ４１２４から出力されるＴＳパケットがリードバックのためにインターフェース部１３、書込みＤＭＡ２５１、及び外部のシステムバス２６を介して外部のメモリ装置２７に保存される。
【００２６】
この場合、第１ＴＳバッファ部１５に保存されたＴＳパケットがＣＡ／ＣＰ部１４により読出されて使われた後、外部メモリ装置２７に保存されたＴＳパケットがシステムバス２６及び読出しＤＭＡ２５５を通じてさらに読出されて、すなわちリードバックされてＣＡ／ＣＰ部１４により使われる。第１ＴＳバッファ部１５は二重ポートＳＲＡＭで構成される。
【００２７】
したがって、一実施の形態では、外部記録媒体に記録されるマルチメディアデータ信号の複製を防止する方法が提供される。前述したように、マルチメディアデータ信号を示す複数の暗号化されたＴＳパケットが解読され、この解読されたＴＳパケットは第１ＴＳバッファ部１５がフルになるまで第１ＴＳバッファ部１５に保存される。前記第１ＴＳバッファ部１５に保存できない前記解読されたＴＳパケットの剰余分は外部メモリ装置２７に保存する前にＣＡ／ＣＰ部１４によりさらに暗号化される。この暗号化されたＴＳパケットが前記外部記録媒体に記録するために外部メモリ装置２７に保存される。このような方法で、信号を記録媒体に記録する前にマルチメディアデータ信号を暗号化することによって不法複製が防止できる。
【００２８】
他の実施の形態では、図１に示す装置のような信号処理装置においてマルチメディアデータ信号を割り当てる方法が提供される。例えば、マルチメディアデータ信号を示す複数のＴＳパケットが、図１に示された第１ＴＳバッファ部１５のような第１メモリにこの第１メモリがフルになるまで保存されうる。前記第１メモリがフルになれば、マルチメディアデータ信号(すなわち、ＴＳパケット)損失の可能性を避けるために外部メモリ２７のような第２メモリに剰余ＴＳパケットが保存されうる。したがって、第１ＴＳバッファ部１５の容量が固定されていても、外部メモリ２７を利用することによってマルチメディアデータ信号(すなわちＴＳパケット）の損失可能性が除去できる。
【００２９】
さらに、図１を参照すれば、第２ＴＳバッファ部１７は、ＣＡ／ＣＰ部１４の出力信号、すなわちＴＳ入力スイッチ部１１、ＰＩＤフィルタ部１２、インターフェース部１３、及びＣＡ／ＣＰ部１４を全て通過したＴＳパケットを順次にバッファインターフェース１６を通じて受信して保存する。ＭＰＵ１８は第２ＴＳバッファ部１７に保存されたＴＳパケットを順次に読出してデマルチプレクシングを行う。
【００３０】
ＭＰＵ１８は、多様な情報を含んでいるＴＳパケットから必要なデータだけを抽出し、分類して指定されたメモリに伝送することを担当する。このようなデータの抽出、分類、及び伝送をＭＰＵ１８がソフトウェアにより制御するので柔軟性が増加できる。
【００３１】
ＰＳセクタ分析器１９は、読出しＤＭＡ２５４を通じて入力されるＤＶＤのＰＳからセクタヘッダーだけを抽出した後、ＰＳをＣＡ／ＣＰ部１４に出力する。引き続き、ＣＡ／ＣＰ部１４は受信されたＰＳの内容を分析して解読する。
【００３２】
ＰＣＲ回復部２０は、ＰＩＤフィルタ部１２内の抽出パケットモジュールで抽出されたＰＣＲデータを保存する。ＰＣＲ回復部２０は、複数のチャンネルに対するＰＣＲデータを全て保存することによって、モード転換時にＳＴＣが早く対応するように制御する。ＰＣＲ回復部２０は、現在抽出されたＰＣＲデータが現在ディスプレイ中であればＭＰＵ１８にインタラプトを発生させてＰＣＲ回復動作を通じてＰＷＭ(Ｐｕｌｓｅ  Ｗｉｄｔｈ  Ｍｏｄｕｌａｔｉｏｎ)制御を行う。
【００３３】
ＰＶＲのためのＴＳパケットは、ＣＡ／ＣＰ部１４によりスクランブルされて外部のＨＤＤ(Ｈａｒｄ  Ｄｉｓｋ  Ｄｒｉｖｅｒ)に保存される。ＰＶＲ書込みインターフェース部２２は、ＴＳパケットがＣＡ／ＣＰ部１４によりスクランブルされる前にＴＳパケットから抽出されたシーケンスヘッダー情報、映像情報、及び現在のＳＴＣ値をタイムスタンプ形態でＴＳパケットと共にパッキングし、その結果を書込みＤＭＡ２５２を通じて外部に出力する。
【００３４】
ＰＳＩバッファ部２１は、ＰＶＲ書込みの時に単一プログラムに対するＰＳＩをＴＳパケットに挿入する。
ＰＶＲ読出しインターフェース部２３は、読出しＤＭＡ２５４を通じてＰＶＲのためのＴＳパケットを受信し、この時、ＴＳパケットと共にパッキングされたタイムスタンプ情報を用いて読出し速度を調節する。
【００３５】
さらに説明すれば、ＣＡ／ＣＰ部１４では、不法複製の可能性を遮断するためにデータ暗号化時に内部のランダムナンバー発生器により発生されたキーを使用してデータが暗号化されて保存され、所定の時間間隔によってキーを新しく発生させて一つのプログラムが多数のキーに暗号化される。このような暗号化キーは、チップ内部にハードウェアで構成されたキーを用いて暗号化した後にデータと共に保存される。
【００３６】
一方、ＤＭＡを用いて外部メモリ２７にデータを伝送及び保存する場合では、入出力装置との通信オーバーヘッドを減らすために読出しＤＭＡ２５４、２５５がアクセスするメモリ領域と書込みＤＭＡ２５１、２５２、２５３がアクセスするメモリ領域を定めて外部メモリ２７の所定の特定領域にだけ読出し／書込み動作が行われる。
【００３７】
したがって、他の一実施の形態では、図１に示す装置のようなマルチメディアデータ処理装置において通信オーバーヘッドを減少させる方法が提供される。この方法は、マルチメディアデータの記録時に直接Ｉ／Ｏ装置を選択することを避けるために、前記装置と通信する外部メモリ内のマルチメディアデータ信号をアクセスするための読出し／書込み命令を割り当てる段階を備える。
【００３８】
この割り当て段階は、前記マルチメディアデータ信号に関係している読出し動作のために前記外部メモリの第１領域を割り当てる段階、及び前記マルチメディアデータ信号に関係している書込み動作のために前記外部メモリの第２領域を割り当てる段階を備える。
【００３９】
以上、図面と明細書において最適の実施の形態が開示された。ここで特定用語が使われたが、これは単に本発明を説明するための目的として使われたものであり、意味限定や特許請求の範囲に記載された本発明の範囲を制限するために使われたものではない。したがって、当業者ならば、これより多様な変形及び均等な他実施の形態が可能であることがわかる。したがって、本発明の真の技術的保護範囲は特許請求の範囲の技術的思想により決まるべきである。
【産業上の利用可能性】
【００４０】
本発明に係るマルチメディアデータ信号処理装置及び方法は、デジタルテレビのようなデジタル映像装置に採用可能である。
【図面の簡単な説明】
【００４１】
【図１】本発明の一実施の形態による多重マルチメディアデータ受信／保存装置を示すブロック図である。
【符号の説明】
【００４２】
１１    ＴＳ入力スイッチ部
１２    ＰＩＤフィルタ部
１３    インターフェース部
１４    ＣＡ／ＣＰ部
１５    第１ＴＳバッファ部
１６    バッファインターフェース部
１７    第２ＴＳバッファ部
１８    MＰＵ
１９    ＰＳセクタ分析器１９
２０    ＰＣＲ回復部
２１    ＰＳＩバッファ部
２２    ＰＶＲ書込みインターフェース部
２３    ＰＶＲ読出しインターフェース部
２５    ＤＭＡ部
【図１】
0004717395.tif 000002